(57)【要約】【課題】建設用資材用の合成樹脂容器を刃物で切断して細分化し、細分化のための作業が能率よく省力的に行なえ、しかも、効果的な減量化を実現できる合成樹脂容器の減量化処理方法を提供する。【解決手段】建設用資材を収納するための合成樹脂容器１の胴部２の外面に、底板３よりも上部の位置に縦方向の薄肉厚の部分５と、底板３の上面と対応する位置に横方向の薄肉厚の部分６を形成し、この合成樹脂容器１を廃棄する場合の減量化のため、横方向の薄肉厚の部分６から刃物で切断して胴部２から底板３を切り離し、胴部２を縦方向の薄肉厚の部分５から刃物で切断して縦割りに切断し、この分断した胴部２と切り離した底板３を、それぞれ別の合成樹脂容器１内に収納する。【選択図】　図４
2004035015.tif 000002
【特許請求の範囲】
【請求項１】
建設用資材を収納するための合成樹脂容器の所要位置に、スリットもしくは刃物を差し込み易くするための薄肉厚の部分を形成し、この合成樹脂容器をスリットもしくは薄肉厚の部分から刃物で切断して細分化することを特徴とする合成樹脂容器の減量化処理方法。
【請求項２】
上記合成樹脂容器の胴部の外面に、底板よりも上部の位置に縦方向のスリットもしくは薄肉厚の部分と、底板の上面と対応する位置に横方向の薄肉厚の部分を形成し、この合成樹脂容器の細分化を、横方向の薄肉厚の部分から刃物で切断して胴部から底板を切り離し、胴部を縦方向のスリットもしくは薄肉厚の部分から刃物で切断して縦割りに切断することを特徴とする請求項１に記載の合成樹脂容器の減量化処理方法。
【発明の詳細な説明】
【０００１】
【発明の属する技術分野】
この発明は、建設用資材を収納するために用いられている合成樹脂容器を、建設用資材の使用済み後に廃棄する場合の減量化処理方法に関する。
【０００２】
【従来の技術】
防水材や吹き付け材等の建設用資材は、蓋付きの合成樹脂容器に収納した荷姿になっており、内部の建設用資材を使用した後の合成樹脂容器は、不要物となるので廃棄処分にしている。
【０００３】
このような合成樹脂容器は、そのままでは嵩張り、保管のために広いスペースを確保しなければならないと共に、廃棄のための処分設備への輸送コストも嵩むことになるので、使用済み合成樹脂容器は減量化が必要になる。
【０００４】
従来、使用済み合成樹脂容器を減量化する方法は、合成樹脂容器の胴部の外面に、上下縦方向の折り曲げ用の溝を複数設けると共に、底板に中心を通る径方向の折り曲げ用の溝を複数設け、これらの溝は合成樹脂容器の成形時に形成しておく。
【０００５】
この合成樹脂容器を細分化するには、先ず、縦方向の溝を挟んで胴部を両側から加圧することで、縦方向の溝に沿って胴部を折り曲げ、この折り曲げにより縦方向の溝の部分にクラックを生じさせ、発生したクラック部分に引っ張り力を加えて引きちぎることにより、胴部を複数の縦割りにする。
【０００６】
次に、クラックの底板に達した部分を起点にして胴部と底板のコーナ部分を引きちぎることにより、胴部と底板を分離し、更に、底板を溝に沿って折り曲げることでクラックを生じさせ、底板を複数に分離する。
上記のようにして、複数に細分化した胴部相互及び底板相互を重ね合わせることで、合成樹脂容器の減量化を行なうものである。
【０００７】
【発明が解決しようとする課題】
しかしながら、上記した従来の減量化方法は、合成樹脂容器に形成した溝に沿って胴部や底板を折り曲げ、クラックを生じさせて引きちぎるため、解体に大きな力が必要になり、手間と時間がかかると共に、胴部や底板の折り割り時や引きちぎり時に、合成樹脂の弾性による反発力でクラックで分断された部分が弾け、このため、合成樹脂容器に付着している建設用資材が飛び散るという問題がある。
【０００８】
そこで、この発明の課題は、使用済み合成樹脂容器を刃物で切断して細分化するようにし、細分化のための作業が能率よく省力的に行なえ、しかも、効果的な減量化を実現できる合成樹脂容器の減量化処理方法を提供することにある。
【０００９】
【課題を解決するための手段】
上記のような課題を解決するため、この発明は、建設用資材を収納するための合成樹脂容器の所要位置に、スリットもしくは刃物を差し込み易くするための薄肉厚の部分を形成し、この合成樹脂容器をスリットもしくは薄肉厚の部分から刃物で切断して細分化する構成を採用したものである。
【００１０】
上記合成樹脂容器の胴部の外面に、底板よりも上部の位置に縦方向のスリットもしくは薄肉厚の部分と、底板の上面と対応する位置に横方向の薄肉厚の部分を形成し、この合成樹脂容器の細分化を、横方向の薄肉厚の部分から刃物で切断して胴部から底板を切り離し、胴部を縦方向のスリットもしくは薄肉厚の部分から刃物で切断して縦割りに切断する構成とすることができる。
【００１１】
ここで、胴部にスリットを形成する場合は、防水材や吹き付け材等の建設用資材が漏れないような位置に設定し、また、縦方向の薄肉厚の部分は、上下の全長又は部分的に形成し、横方向の薄肉厚の部分も周方向の全周又は部分的に形成しておけばよく、上記スリットの場合は刃物の切り込み開始部分となり、薄肉厚の部分は刃物を突きさして切り込む部分となる。
【００１２】
上記胴部は、二つ割りに切断したり、一箇所を切り離して縮径させた状態で、これを一つの合成樹脂容器内に収めることにより、切断した多数個の胴部を一つの合成樹脂容器の体積に減量化できる。
【００１３】
また、胴部から切り離した底板は、一つの合成樹脂容器内に積み重ねて収納する。
【００１４】
【発明の実施の形態】
以下、この発明の実施の形態を図示例と共に説明する。
【００１５】
図１（Ａ）と（Ｂ）のように、防水材や吹き付け材等の建設用資材を収納するために用いられている合成樹脂容器１は、上端が大径となるテーパ筒状の胴部２と、この胴部２内の下端を閉鎖する底板３と、胴部２の上端外周に設けたフランジ部４とからなり、上記胴部２の底板３よりも上部の位置に、刃物を差し込み易くするための縦方向の薄肉厚の部分５と、底板３の上面と対応する位置に同じく横方向の薄肉厚の部分６が形成されている。
【００１６】
なお、図示省略したが、合成樹脂容器１には、胴部２の上端開口を閉鎖する円形板状の蓋が別途組み合わせ使用される。
【００１７】
上記薄肉厚の部分５と６は、胴部２の外面で凹入する溝を設けることにより形成され、縦方向の薄肉厚の部分５は、図示の場合、胴部２の上下間の全長にわたって一本だけを設けたが、胴部２の軸心を挟む両側に設ける等、本数は自由であると共に、この薄肉厚の部分５は、胴部２の途中に部分的に設けるようにしてもよく、また、横方向の薄肉厚の部分６は、図示の場合、胴部２の周方向に部分的に設けたが、周方向の全長にわたって設けてもよい。
【００１８】
これらの薄肉厚の部分５と６は、金型を用いた合成樹脂容器１の成形時に胴部２の外面に溝を設けることにより形成すればよい。
【００１９】
また、図示の場合、上記合成樹脂容器１におけるフランジ部４には、刃物の切り込み開始部分となる凹入状のスリット７が、蓋による合成樹脂容器１の閉鎖に支障を与えないようにして形成してある。
【００２０】
次に、上記合成樹脂容器の減量化処理方法を説明する。
【００２１】
先ず、図３（Ａ）と（Ｂ）のように、胴部２の周方向に設けた薄肉厚の部分６に、カッターや鋸歯状の刃先を有する先鋭状の刃物Ａを、胴部２の外部から突き刺し、この刃物Ａを底板３の上面をガイドに胴部２の周方向へ移動させ、図１（Ｂ）のように、胴部２から底板３を切り離して分離化する。
【００２２】
この後、筒状の胴部２に形成した縦方向の薄肉厚の部分５に先鋭状の刃物Ａを胴部２の外部から突き刺し、この薄肉厚の部分５に沿って刃物Ａを移動させることにより、図１（Ｂ）のように胴部２を縦方向に分断する。なお、刃物Ａは強度の弱い縦方向の薄肉厚の部分５に沿って移動するので、切断作業が円滑に行なえることになり、また、フランジ部４にスリット７を設けた場合は、このスリット７からの切り込みを開始することで、縦方向の薄肉厚の部分５へ連続的に切断を行なうことができ、何れにしても胴部２を簡単に切断することができる。
【００２３】
上記のように、底板３の切り離しと胴部２の分断を刃物Ａを用いて行なうようにすると、合成樹脂容器１を軽い力で分断することができ、分断作業が能率よく省力的に行なえることになる。
【００２４】
上記のような刃物Ａによる切断によって分断した胴部２は、図４（Ａ）のように、縮径させた状態で、一つの合成樹脂容器１内に順次収めることにより、分断した多数個の胴部２を一つの合成樹脂容器１の体積に減量化できる。
【００２５】
なお、図４（Ａ）では、胴部２を一箇所で切断したものと、二つに分断したものも同時に一つの合成樹脂容器１内に収めた状態を示している。
【００２６】
また、切り離した底板３は、図４（Ｂ）のように、一つの合成樹脂容器１内に積み重ねて収納する。
【００２７】
上記のように、分断した多数個の胴部２と、胴部２から切り離した底板３を、別々の合成樹脂容器１内に収納することにより、使用済み合成樹脂容器１の減量化が効率よく行なえることになる。
【００２８】
【発明の効果】
以上のように、この発明によると、建設用資材を収納するための合成樹脂容器を、この合成樹脂容器に設けたスリットもしくは薄肉厚の部分から刃物で切断して細分化するようにしたので、合成樹脂容器を軽い力で分断することができ、減量化のための分断作業が能率よく省力的に行なえることになる。
【００２９】
また、分断した胴部と切り離した底板を、それぞれ別の合成樹脂容器内に収納することにより、一つの合成樹脂容器の体積で多数個の合成樹脂容器が収まり、使用済み合成樹脂容器の減量化が効率よく行なえる。
【００３０】
更に、胴部からの底板の切り離しと胴部の分断を刃物での切断によって行なうようにしたので、折り割りの場合のように胴部や底板が合成樹脂の弾性で弾けることがなく、従って、合成樹脂容器に付着している建設用資材が周囲に飛び散るという事態の発生がない。
【図面の簡単な説明】
【図１】（Ａ）は合成樹脂容器の斜視図、（Ｂ）は合成樹脂容器を胴部と底板に分断した分解斜視図
【図２】（Ａ）は胴部に設けたスリットと縦方向の薄肉厚の部分を示す斜視図、（Ｂ）は同横断平面図、（Ｃ）は胴部に設けた横方向の薄肉厚の部分を示す縦断面図
【図３】（Ａ）は横方向の薄肉厚の部分を切断している状態を示す横断平面図、（Ｂ）は同縦断面図、（Ｃ）は胴部に設けた縦方向の薄肉厚の部分を切断している状態を示す縦断面図
【図４】（Ａ）は切り離し後の胴部を合成樹脂容器内に収納した状態を示す斜視図、（Ｂ）は切り離した底板を合成樹脂容器内に収納した状態を示す縦断面図
【符号の説明】
１　合成樹脂容器
２　胴部
３　底板
４　フランジ部
５　縦方向の薄肉厚の部分
６　横方向の薄肉厚の部分
７　スリット
Ａ　刃物
【図１】
2004035015.tif 000003
【図２】
2004035015.tif 000004
【図３】
2004035015.tif 000005
【図４】
2004035015.tif 000006